(57)【要約】【課題】秤量装置で大型のタンクの秤量を行うことができるタンク支持筐体を提供する。【解決手段】タンク１００が支持される秤量台１４と、秤量台１４の重量を測る秤量機構部１０と、秤量台１４とは独立して設けられた錘載置台２０と、錘載置台２０に載置される検定用の錘３０と、秤量台１４を昇降させることでタンク１００を秤量台１４に支持させると共に錘３０を秤量台１４に支持させるアクチュエータ１３とを備えた秤量装置１に用いられ、タンク１００が着脱自在に保持されると共に、秤量台１４の昇降により秤量台１４に支持される筐体本体１１０を備える。【選択図】  図１
2015087191.tif 000002
【特許請求の範囲】
【請求項１】
タンクが支持される秤量台と、
前記秤量台の重量を測る秤量機構部と、
前記秤量台とは独立して設けられた錘載置台と、
前記錘載置台に載置される検定用の錘と、
前記秤量台を昇降させることで前記タンクを前記秤量台に支持させると共に前記錘を前記秤量台に支持させる秤量台昇降手段とを備えた秤量装置に用いられ、
前記タンクが着脱自在に保持されると共に、前記秤量台の昇降により前記秤量台に支持される筐体本体を備えた
ことを特徴とする秤量装置に用いられるタンク支持筐体。
【請求項２】
請求項１に記載の秤量装置に用いられるタンク支持筐体において、
前記筐体本体は、
前記秤量台が下降位置にある時に前記秤量台の上部に配されるフレームと、
前記フレームの上方に配され前記タンクが着脱自在とされるタンク保持部とを有している
ことを特徴とする秤量装置に用いられるタンク支持筐体。
【請求項３】
請求項２に記載の秤量装置に用いられるタンク支持筐体において、
前記秤量台昇降手段は、
前記フレームを上昇させる第１の状態、及び、前記第１の状態から更に前記フレームを上昇させて前記錘を上昇させる第２の状態のストロークを有している
ことを特徴とする秤量装置に用いられるタンク支持筐体。
【請求項４】
請求項２もしくは請求項３に記載の秤量装置に用いられるタンク支持筐体において、
前記タンク保持部にはフランジ部が形成され、
前記フランジ部に前記タンクが取り付けられる
ことを特徴とする秤量装置に用いられるタンク支持筐体。
【請求項５】
請求項１から請求項４のいずれか一項に記載の秤量装置に用いられるタンク支持筐体において、
前記筐体本体にはキャスターが設けられている
ことを特徴とする秤量装置に用いられるタンク支持筐体。
【発明の詳細な説明】
【技術分野】
【０００１】
本発明は、秤量装置に用いられるタンク支持筐体に関する。
【背景技術】
【０００２】
従来、医薬品原料や医薬品、食料品、飲料などの被秤量物を所定量だけタンクに導入する場合、タンクを秤量装置の台秤に載せ、被秤量物を秤量装置で秤量しながら導入する方法が採られている。特に医薬品原料や医薬品の場合、厳密に秤量する必要があるため、検定用の錘を使用して秤量装置を検定した後、秤量する必要がある。
【０００３】
被秤量物が導入されるタンクが大型の移動タンクの場合、傾斜などを利用して台秤に移動タンクを載せる必要があり、多大な労力が必要となるという問題があった。このため、大型の移動タンクであっても、秤量装置で簡単に秤量できることが望まれているのが現状である。
【先行技術文献】
【特許文献】
【０００４】
【特許文献１】特開平１−１５２３１８号公報
【発明の概要】
【発明が解決しようとする課題】
【０００５】
本発明は上記状況に鑑みてなされたもので、秤量装置で大型のタンクの秤量を行うことができるタンク支持筐体を提供することを目的とする。
【課題を解決するための手段】
【０００６】
上記目的を達成するための請求項１に係る本発明の秤量装置に用いられるタンク支持筐体は、タンクが支持される秤量台と、前記秤量台の重量を測る秤量機構部と、前記秤量台とは独立して設けられた錘載置台と、前記錘載置台に載置される検定用の錘と、前記秤量台を昇降させることで前記タンクを前記秤量台に支持させると共に前記錘を前記秤量台に支持させる秤量台昇降手段とを備えた秤量装置に用いられ、前記タンクが着脱自在に保持されると共に、前記秤量台の昇降により前記秤量台に支持される筐体本体を備えたことを特徴とする。
【０００７】
請求項１に係るタンク支持筐体を用いる秤量装置は、タンクの下方に配置されるとともに、所望の重量の検定用の錘を錘載置台上に設置するだけで、タンクの風袋の測定、及び検定が容易に行えるものである。請求項１に係る本発明の秤量装置に用いられるタンク支持筐体は、共通の支持筐体で異なる大きさのタンクを支持することができ、前記秤量装置に対し、タンクを筐体本体に保持することで、タンクの秤量を容易に行うことが可能になる。
【０００８】
このため、秤量装置でタンクの秤量を行うことができるタンク支持筐体とすることが可能になる。
【０００９】
そして、請求項２に係る本発明の秤量装置に用いられるタンク支持筐体は、請求項１に記載の秤量装置に用いられるタンク支持筐体において、前記筐体本体は、前記秤量台が下降位置にある時に前記秤量台の上部に配されるフレーム（第２フレーム）と、前記フレームの上方に配され前記タンクが着脱自在とされるタンク保持部とを有していることを特徴とする。
【００１０】
請求項２に係る本発明では、タンクの大きさに拘わらず、秤量台とフレームとの間の隙間を常に最小限の隙間に保持することができ、昇降装置のストロークを小さくできる。
【００１１】
また、請求項３に係る本発明の秤量装置に用いられるタンク支持筐体は、請求項２に記載の秤量装置に用いられるタンク支持筐体において、前記秤量台昇降手段は、前記フレームを上昇させる第１の状態、及び、前記第１の状態から更に前記フレームを上昇させて前記錘を上昇させる第２の状態のストロークを有していることを特徴とする。
【００１２】
請求項３に係る本発明では、異なる大きさのタンクを保持した場合でも、フレームを上昇させる第１の状態のストロークを小さくすることができる。
【００１３】
そして、請求項４に係る本発明の秤量装置に用いられるタンク支持筐体は、請求項２もしくは請求項３に記載の秤量装置に用いられるタンク支持筐体において、前記タンク保持部にはフランジ部が形成され、前記フランジ部に前記タンクが取り付けられることを特徴とする。
【００１４】
請求項４に係る本発明では、フランジ部を介してタンクを取り付けることができる。
【００１５】
また、請求項５に係る本発明の秤量装置に用いられるタンク支持筐体は、請求項１から請求項４のいずれか一項に記載の秤量装置に用いられるタンク支持筐体において、前記筐体本体にはキャスターが設けられていることを特徴とする。
【００１６】
請求項５に係る本発明では、タンク支持筐体を容易に任意の位置に移動させることができる。
【発明の効果】
【００１７】
本発明の秤量装置に用いられるタンク支持筐体は、秤量装置で大型のタンクの秤量を行うことができるタンク支持筐体とすることが可能になる。
【図面の簡単な説明】
【００１８】
【図１】本発明の一実施例のタンク支持筐体が使用される秤量装置の分解斜視図である。
【図２】秤量装置の使用状態を示す斜視図である。
【図３】秤量装置の使用状態を示す正面図である。
【図４】秤量装置の使用状態を示す側面図である。
【図５】秤量装置の使用状態を示す断面図である。
【図６】秤量装置の使用状態を示す断面図である。
【図７】秤量装置の使用状態を示す断面図である。
【発明を実施するための形態】
【００１９】
以下、本発明の実施例を説明する。尚、実施例の説明は例示であり、本発明は以下の説明に限定されない。
【００２０】
図１〜図４を用いて、本実発明の一実施例に係るタンク支持筐体が使用される秤量装置（以降、秤量装置ともいう）を説明する。図１は、秤量装置の分解斜視図、図２〜図４は、秤量装置の使用状態を示す斜視図、正面図、および側面図である。
【００２１】
図示するように、秤量装置１は、被秤量物の秤量を行う秤量機構部１０と、錘載置台２０と、錘載置台２０上に載置される検定用の錘３０とを備えている。
【００２２】
秤量機構部１０は、全体を支持する支持部材となる基台１１と、基台１１上に設けられたロードセル１２と、ロードセル１２上に配置された秤量台昇降手段となる複数のアクチュエータ１３が配置され、アクチュエータ１３上に秤量台１４が設けられている。
【００２３】
アクチュエータ１３は、秤量台１４を上下方向に位置決め自在に昇降できる流体圧（例えば、油圧）シリンダーが適用される。機械式の昇降装置を用いることも可能である。
【００２４】
秤量台１４は、被秤量物の一部となる移動式の大型タンク（タンク）１００を支持可能なものであり、水平状態が保たれて上下方向に昇降できるようにロードセル１２に支持されている。錘載置台２０は秤量台１４と緩衝しない状態で基台１１上に設けられ、錘載置台２０には錘３０を載置する場所に貫通部２１が２箇所に設けられている。
【００２５】
秤量台１４上には、支持部４１が２箇所に設けられ、支持部４１は錘載置台２０の貫通部２１を貫通可能な形状とされて貫通部２１の位置に設けられている。支持部４１は秤量台１４の上昇により貫通部２１を貫通して上昇し、錘３０を支持する。
【００２６】
秤量装置１で秤量されるタンク１００は、タンク支持筐体としての架台１２０に着脱自在に取り付けられる。架台１２０は筐体本体としての本体１１０を備え、本体１１０にはタンク１００が挿入されるタンク保持部１１１が備えられている。具体的には、タンク保持部１１１は、底部を有する凹部であり、当該凹部にタンク１００の下側の一部が収納可能な空間として形成されている。タンク保持部１１１の開口形状は、タンク１００の外径よりも大きく形成されていればよく、タンク１００の外周面とタンク保持部１１１の内面との間に遊びがあってもよい。
【００２７】
本体１１０にはタンク保持部１１１の開口部にフランジ部１１２が形成されている。また、タンク保持部１１１にタンク１００が保持された際に、フランジ部１１２に固定される固定片１１３がタンク１００に設けられている。固定片１１３がフランジ部１１２に固定されることで、タンク１００が本体１１０に固定される。
【００２８】
また、タンク保持部１１１の開口形状は、使用予定となる様々な大きさのタンクの全てを収容可能な大きさとしておく。この場合、タンクの外径寸法によって、タンク保持部１１１との間に生じる遊びの大きさも変わるが、タンク１００が固定片１１３を介してフランジ部１１２に固定されるように、固定片１１３の大きさや形状を選択すればよい。固定片１１３を適宜設計することで、タンク支持筐体は、様々な大きさのタンク１００を保持することができる。
【００２９】
なお、タンク保持部１１１はこのような態様に限られず、例えば、タンク１００が挿通可能な貫通孔として形成されていてもよい。この場合、タンク１００は貫通孔としてのタンク保持部１１１内に収容された状態で、固定片１１３を介してフランジ部１１２に固定する。
【００３０】
本体１１０には４本の足フレーム１２１の一端が設けられ、２本の足フレーム１２１を連結する２本の第１フレーム１２２と、第１フレームを連結する２本の第２フレーム１２３（フレーム）とを備えている。また、４本の足フレーム１２１にはキャスター１２４が設けられ、架台１２０が任意の位置に移動可能となっている。
【００３１】
上述した実施例では、アクチュエータ１３による秤量台１４の上昇により、２本の第２フレーム１２３（図示しない当て基準部）が秤量台１４と当接して架台１２０が秤量台１４によって支持される（持ち上げられる）。架台１２０にタンク１００が取り付けられた状態で、タンク１００の重量が架台１２０とともに秤量されることになる。
【００３２】
つまり、本体１１０は、秤量台１４が下降位置にある時に秤量台１４の上部に配される第２フレーム１２３と、第２フレーム１２３の上方にタンク１００が着脱自在とされるタンク保持部１１１とを有している。このため、共通のタンク支持筐体である架台１２０により、異なる大きさのタンクを支持することができ、タンクが変更になっても、秤量台１４と第２フレーム１２３との隙間を最小限に保って高い剛性により第２フレーム１２３を配置することができる。
【００３３】
従って、共通の架台１２０で複数の異なるタンクを用いても、秤量台１４と第２フレーム１２３との隙間を最小限に保持することができ、アクチュエータ１３のストロークを小さくすることができる。
【００３４】
ここで、アクチュエータ１３のストロークが非常に小さいものであると、基台１１を載置した接地面に対する第２フレーム１２３の位置は、高精度であることが求められる。
【００３５】
すなわち、アクチュエータ１３が最も下方に下がった状態（最下点）においては、第２フレーム１２３は秤量台１４よりも高くなければならない。これよりも低いと架台１２０を横方向に移動させた時に第２フレーム１２３が秤量台１４に衝突してしまい、秤量台１４上に第２フレーム１２３を配置できない。また、アクチュエータ１３が最も上方に上がりきった状態（最上点）における秤量台１４よりも、接地面に対する第２フレーム１２３の位置は低くなればならない。これよりも高いと、アクチュエータ１３が最上点に達しても秤量台１４が第２フレーム１２３を支持することができない。
【００３６】
つまり、接地面に対する第２フレーム１２３の位置は、アクチュエータ１３の最下点よりも高く、かつ最上点よりも低くなければならない。このため、アクチュエータ１３のストローク（最下点と最上点との差）が短いほど、第２フレーム１２３の当該位置は高精度に形成しなければならない。
【００３７】
このように、第２フレーム１２３は高精度に形成されなければならないところ、異なるタンク１００ごとに架台１２０を形成していたのでは、非常に手間がかかり、コストも発生する。
【００３８】
しかしながら、本発明によれば、異なるタンク１００を対象としても、一つ（タンクの数よりも少ない数）の架台１２０を共通して用いることができるので、高精度に作製しなければならない第２フレーム１２３を数多く作製する必要がない。これにより、架台１２０のコスト削減に寄与することができる。
【００３９】
また、第２フレーム１２３の上方にタンク保持部１１１が配されているので、第２フレーム１２３とタンク保持部１１１を離れた位置に配置することができる。このため、大きなタンクであってもタンク保持部１１１から第２フレーム１２３の間のスペースにタンクを位置させることができ、容易に大型タンクを用いることができる。
【００４０】
尚、タンク１００を外して架台１２０だけを秤量台１４に支持させる（持ち上げる）ことで、架台１２０の秤量を行うことが可能である。
【００４１】
アクチュエータ１３は、秤量台１４を第１の状態まで上昇させ、秤量台１４が第２フレーム１２３と当接して架台１２０（タンク１００）を支持する。この時、秤量台１４に設けられた支持部４１は錘３０には当接しない第１の状態となっている。次いで、アクチュエータ１３は、秤量台１４を第１の状態からさらに第２の状態まで上昇させ、秤量台１４が架台１２０（タンク１００）の全体を支持すると同時に、支持部４１により錘３０を支持して錘３０を秤量する状態となる。
【００４２】
このように、一つのアクチュエータ１３により、架台１２０（タンク１００）のための秤量昇降手段と、錘３０のための秤量昇降手段を兼用することができ、別のアクチュエータを設ける必要がないので、部品点数の低下、小型化に寄与することができる。
【００４３】
上述した実施例では、ロードセル１２を最下部に配置し、その上にアクチュエータ１３を配置したので、秤量が安定して行える。
【００４４】
図５〜図８に基づいて上記構成の秤量装置１の動作を説明する。
【００４５】
図５は、秤量装置１上に空のタンク１００を固定した架台１２０を移動し、架台１２０の第２フレーム１２３の下方に秤量台１４を配置した状態を示す。この状態では、秤量台１４上にかかる荷重はない。
【００４６】
図６には、架台１２０（タンク１００）の重量を秤量する（風袋）状況を示してある。
【００４７】
アクチュエータ１３により秤量台１４を第１の状態まで上昇させ、秤量台１４で架台１２０（タンク１００）を持ち上げて支持し、秤量台１４に加わる荷重がロードセル１２に伝達される（第１の状態）。第１の状態では、秤量台１４は、支持部４１が錘載置台２０の貫通部２１上の載置した錘３０には当接しない状態までの上昇となる。これにより、架台１２０（タンク１００）の重量が秤量される。この状態を零点とする。
【００４８】
以下、秤量装置１では、タンク１００に被秤量物が導入された際に、風袋を除いた重量（被秤量物だけの重量）がロードセル１２で秤量されることになる。
【００４９】
図７には、秤量装置１の検定を行い、必要に応じて校正を行う状況を示してある。
【００５０】
アクチュエータ１３により秤量台１４をさらに上昇させて第２の状態とする。この状態では、秤量台１４により架台１２０（タンク１００）が支持されると同時に、支持部４１により錘３０が支持される状態となる。これにより、錘３０による荷重がロードセル１２に伝達され、錘３０が秤量される。
【００５１】
錘３０としては、この後、タンク１００に導入されて秤量される内容物の重量に合わせた重量のものが用いられる。すなわち、内容物を５０ｋｇ秤量する場合には、５０ｋｇの錘３０が用いられ、１００ｋｇの内容物を秤量する場合には、１００ｋｇの錘３０が用いられる。図面では、一つの錘３０を示しているが、重量に応じて、２つ用いてもよく、この場合、２つの合計重量が秤量する内容物の重量となればよい。
【００５２】
そして、錘３０を秤量した結果、ロードセル１２での秤量値と錘３０の重量とが異なった場合には、ロードセル１２での秤量値を校正する。このように、架台１２０（タンク１００）に風袋を載せた状態で検定ができるので、簡単に秤量を行うことができる。
【００５３】
この後、アクチュエータ１３により秤量台１４を第１の状態まで降下させ、タンク１００に被秤量物を導入し、導入された被秤量物が秤量される。
【００５４】
以上説明したように、タンク１００が着脱自在に保持される架台１２０を秤量装置１の部位に移動させることで、架台１２０の下方に秤量装置１を配置し、大型のタンク１００の秤量を行うことが可能になる。そして、架台１２０の下方に秤量装置１を配置し、所望の重量の錘３０を錘載置台２０上に設置するだけで、大型のタンク１００の風袋の測定、及び、秤量装置１の検定を容易に行うことができ、被秤量物の正確な秤量を容易に行うことができる。
【００５５】
以上、本発明の一実施例について説明したが、本発明の架台１２０を用いる秤量装置１の基本的な構成は上述したものに限定されるものではない。例えば、ロードセル１２上に秤量台１４を昇降させる手段を設けたが、これに限定されず、例えば、ロードセルの下方に秤量台１４を昇降させる手段を設けてもよい。
【００５６】
また、錘載置台２０は、基台１１上に位置決め配置したが、基台１１を排除して、錘載置台２０を別途設けてもよい。勿論、この場合、秤量台１４上の支持部４１との関係で位置決めは位置できるようにする必要がある。
【００５７】
さらに、秤量昇降手段としてはアクチュエータ１３を採用したが、これに限らず、秤量台１４を鉛直方向に上下動させることができるものであればよい。
【産業上の利用可能性】
【００５８】
本発明は、秤量装置に用いられるタンク支持筐体の産業分野で利用することができる。
【符号の説明】
【００５９】
１    秤量装置
１０    秤量機構部
１１    基台
１２    ロードセル
１３    アクチュエータ
１４    秤量台
２０    錘載置台
２１    貫通部
３０    錘
４１    支持部
１００    タンク
１１０    本体
１１１    タンク保持部
１１２    フランジ部
１１３    固定片
１２０    架台
１２１    足フレーム
１２２    第１フレーム
１２３    第２フレーム
１２４    キャスター
【図１】
2015087191.tif 000003
【図２】
2015087191.tif 000004
【図３】
2015087191.tif 000005
【図４】
2015087191.tif 000006
【図５】
2015087191.tif 000007
【図６】
2015087191.tif 000008
【図７】
2015087191.tif 000009